(57)【特許請求の範囲】
【請求項１】
被試験デバイス（１００）に対する試験信号を生成する信号生成部（１４）と、当該試験信号が入力された当該被試験デバイスからの出力信号を解析する信号解析部（１５）と、複数の階層に分類された表示画面を当該階層ごとに表示可能な表示部（１１）と、当該表示部の表示を制御する表示制御部（１７）と、入力操作を行うための入力部（１２）と、を備える測定装置（１）であって、
前記表示制御部は、
前記出力信号に対する前記信号解析部の信号解析結果を表示する結果表示画面（１９）と、前記信号生成部による前記試験信号の生成に関する設定項目、及び、前記信号解析部による前記出力信号の解析に関する設定項目を表示する設定画面（１８）とを含む複数の表示画面のいずれかを、第１階層の表示画面として前記表示部に表示させる第１階層表示制御部（１７ａ）と、
第１階層よりも下位の階層の表示画面（２３，２４）を前記表示部に表示させる下位階層表示制御部（１７ｄ）と、
前記入力部の操作に応じて、第１階層の表示画面としての前記複数の表示画面のいずれかを選択的に表示させるための制御信号を前記第１階層表示制御部に出力する第１階層表示切替制御部（１７ｂ）と、
前記入力部の操作に応じて、第１階層よりも下位の階層の表示画面の表示をオン／オフするための制御信号を前記下位階層表示制御部に出力する下位階層表示切替制御部（１７ｃ）と、
前記入力部の操作によらずに、使用頻度の高い特定の処理を行うための主操作画面（２０）を常に前記表示部に表示させる主操作画面表示制御部（１７ｅ）と、を有し、
前記下位階層表示切替制御部は、前記入力部の操作により押下可能な下位階層表示ボタン（２２，３０）を前記表示部の所定領域に表示させ、当該下位階層表示ボタンの押下状態に応じて、第１階層よりも下位の階層の表示画面の表示のオン／オフを切り替える前記制御信号を出力し、
前記下位階層表示ボタン（２２，３０）及び前記主操作画面は、相対的な位置関係を維持した状態で、前記下位階層表示ボタン（２２，３０）の押下状態がオン又はオフになる前後で、前記表示部の表示領域内の任意の場所に移動され、
前記下位階層表示ボタン（２２）、及び、当該下位階層表示ボタンがオンになることにより表示される前記下位の階層の表示画面（２３）は、相対的な位置関係を維持した状態で、更に下位の階層の表示画面（２４）を表示させるための前記下位階層表示ボタン（３０）の押下状態がオン又はオフになる前後で、前記表示部の表示領域内の任意の場所に移動されることを特徴とする測定装置。
【請求項２】
前記第１階層表示切替制御部は、前記入力部の操作により押下可能な切替ボタン（２１ａ，２１ｂ）を前記表示部の所定領域に表示させ、当該切替ボタンの押下状態に応じて、前記主操作画面を除く前記複数の第１階層の表示画面の表示を切り替える前記制御信号を出力することを特徴とする請求項１に記載の測定装置。
【請求項３】
前記入力部は、前記表示部の表面に設けられたタッチパネルで構成されることを特徴とする請求項１又は請求項２に記載の測定装置。
【請求項４】
請求項１から請求項３のいずれか一項に記載の測定装置を用いる測定方法であって、
前記入力部の操作に応じて、第１階層の表示画面としての複数の表示画面のいずれかを選択的に表示させるための制御信号を出力する第１階層表示切替段階と、
前記第１階層表示切替段階で出力された前記制御信号に基づいて、前記出力信号に対する前記信号解析部の信号解析結果を表示する結果表示画面と、前記信号生成部による前記試験信号の生成に関する設定項目、及び、前記信号解析部による前記出力信号の解析に関する設定項目を表示する設定画面とを含む複数の表示画面のいずれかを、第１階層の表示画面として前記表示部に表示させる第１階層表示段階と、
前記入力部の操作に応じて、第１階層よりも下位の階層の表示画面の表示をオン／オフするための制御信号を出力する下位階層表示切替段階と、
前記下位階層表示切替段階で出力された前記制御信号に基づいて、前記表示部における第１階層よりも下位の階層の表示画面の表示をオン／オフする下位階層表示段階と、
前記入力部の操作によらずに、使用頻度の高い特定の処理を行うための主操作画面を常に前記表示部に表示させる主操作画面表示段階と、を含み、
前記下位階層表示切替段階は、前記入力部の操作により押下可能な下位階層表示ボタン（２２，３０）を前記表示部の所定領域に表示させ、当該下位階層表示ボタンの押下状態に応じて、第１階層よりも下位の階層の表示画面の表示のオン／オフを切り替える前記制御信号を出力し、
前記下位階層表示ボタン（２２，３０）及び前記主操作画面は、相対的な位置関係を維持した状態で、前記下位階層表示ボタン（２２，３０）の押下状態がオン又はオフになる前後で、前記表示部の表示領域内の任意の場所に移動され、
前記下位階層表示ボタン（２２）、及び、当該下位階層表示ボタンがオンになることにより表示される前記下位の階層の表示画面（２３）は、相対的な位置関係を維持した状態で、更に下位の階層の表示画面（２４）を表示させるための前記下位階層表示ボタン（３０）の押下状態がオン又はオフになる前後で、前記表示部の表示領域内の任意の場所に移動されることを特徴とする測定方法。
【発明の詳細な説明】
【技術分野】
【０００１】
本発明は、測定装置及び測定方法に関する。
【背景技術】
【０００２】
近年、マルチメディア通信の普及や利用者数の増加、さらには通信技術の発達に伴い、多数の通信規格が策定されている。そして、多数の通信規格に対応するとともに多様な測定機能を備え、通信ネットワークを構成する各種機器の性能や、通信ネットワーク内を伝送される信号の品質を測定することが可能な測定装置が求められている（例えば、特許文献１，２参照）。
【０００３】
上記のような測定を行う場合には、例えばパルスパターン発生器、誤り率検出器、スペクトラムアナライザなどの各種測定項目に応じたパラメータが測定装置に設定される必要がある。
【０００４】
特許文献１に開示された従来の装置は、所望の信号を生成するための複数の項目からなる設定手順を階層表示可能に表示するとともに、選択された設定手順の各項目に対応して波形生成に必要なパラメータを入力するためのパラメータ設定画面を同一画面上に表示するものである。
【０００５】
さらに、特許文献２には、測定項目に応じたパラメータ設定用のパラメータ設定ソフトキーを表示部の表示画面上における所定位置に表示制御することにより、パラメータ設定時における操作者の操作性向上を図る構成が開示されている。
【先行技術文献】
【特許文献】
【０００６】
【特許文献１】特許第４０８０４５９号明細書
【特許文献２】特許第５１７９６０２号明細書
【発明の概要】
【発明が解決しようとする課題】
【０００７】
上記のような多様な測定機能に対応するために、測定装置のユーザインターフェースはますます複雑化しているが、このような複雑化したユーザインターフェースであっても迅速かつ正確に操作できることが要求されてきている。さらに、近年は熟練者ではない操作者でも使用可能となるよう、分かりやすい表示、操作系が要求されている。
【０００８】
しかしながら、特許文献１，２に開示されたような従来の装置は、これらの要求への対応が不十分であった。
【０００９】
具体的には、パラメータを設定するための設定画面と、測定結果や分析結果を表示するための結果表示画面とが完全に独立しており、対象のパラメータを設定するためにはその都度設定画面にまで戻る必要があり、不便であった。
【００１０】
また、操作者が現在進行している測定の測定結果や分析結果を確認しながら、それらの結果に応じたパラメータ設定を速やかに行ったり、パラメータの設定変更により測定結果や分析結果が変化する様子を速やかに確認したりすることが不可能であった。
【００１１】
また、パラメータの設定を簡易にする観点では特許文献２に開示された構成は有用であるが、表示画面の領域には限りがあるため、常に使用する訳ではない複数のパラメータを表示画面に表示しておくことは好ましくない。
【００１２】
例えば、複数のウィンドウに測定項目別にパラメータを表示することも考えられるが、限られた表示画面領域においては、所望のパラメータの設定に行き着くまでの操作が煩雑になるという問題がある。
【００１３】
本発明は、このような従来の課題を解決するためになされたものであって、多数の通信規格に対応した多様な測定機能を迅速かつ正確に操作可能なユーザインターフェースを備えた測定装置及び測定方法を提供することを目的とする。
【課題を解決するための手段】
【００１４】
上記課題を解決するために、本発明の請求項１の測定装置は、被試験デバイスに対する試験信号を生成する信号生成部と、当該試験信号が入力された当該被試験デバイスからの出力信号を解析する信号解析部と、複数の階層に分類された表示画面を当該階層ごとに表示可能な表示部と、当該表示部の表示を制御する表示制御部と、入力操作を行うための入力部と、を備える測定装置であって、前記表示制御部は、前記出力信号に対する前記信号解析部の信号解析結果を表示する結果表示画面と、前記信号生成部による前記試験信号の生成に関する設定項目、及び、前記信号解析部による前記出力信号の解析に関する設定項目を表示する設定画面とを含む複数の表示画面のいずれかを、第１階層の表示画面として前記表示部に表示させる第１階層表示制御部と、第１階層よりも下位の階層の表示画面を前記表示部に表示させる下位階層表示制御部と、前記入力部の操作に応じて、第１階層の表示画面としての前記複数の表示画面のいずれかを選択的に表示させるための制御信号を前記第１階層表示制御部に出力する第１階層表示切替制御部と、前記入力部の操作に応じて、第１階層よりも下位の階層の表示画面の表示をオン／オフするための制御信号を前記下位階層表示制御部に出力する下位階層表示切替制御部と、前記入力部の操作によらずに、使用頻度の高い特定の処理を行うための主操作画面を常に前記表示部に表示させる主操作画面表示制御部と、を有し、前記下位階層表示切替制御部は、前記入力部の操作により押下可能な下位階層表示ボタンを前記表示部の所定領域に表示させ、当該下位階層表示ボタンの押下状態に応じて、第１階層よりも下位の階層の表示画面の表示のオン／オフを切り替える前記制御信号を出力し、
前記下位階層表示ボタン及び前記主操作画面は、相対的な位置関係を維持した状態で、前記下位階層表示ボタンの押下状態がオン又はオフになる前後で、前記表示部の表示領域内の任意の場所に移動され、前記下位階層表示ボタン、及び、当該下位階層表示ボタンがオンになることにより表示される前記下位の階層の表示画面は、相対的な位置関係を維持した状態で、更に下位の階層の表示画面を表示させるための前記下位階層表示ボタンの押下状態がオン又はオフになる前後で、前記表示部の表示領域内の任意の場所に移動されることを特徴とする。
【００１５】
この構成により、主操作画面に最も使用頻度の高い項目、第１階層の表示画面にその次に使用頻度の高い項目、第１階層よりも下位の階層の表示画面に使用頻度の低い項目を配置することにより、操作者が効率よく各設定項目にアクセスすることが可能となり、多数の通信規格に対応した多様な測定機能を迅速かつ正確に操作可能なユーザインターフェースを備えた測定装置を実現できる。
また、この構成により、第１階層よりも下位の階層の表示画面に容易にアクセスすることが可能となる。
【００１８】
また、本発明の請求項２の測定装置においては、前記第１階層表示切替制御部は、前記入力部の操作により押下可能な切替ボタンを前記表示部の所定領域に表示させ、当該切替ボタンの押下状態に応じて、前記主操作画面を除く前記複数の第１階層の表示画面の表示を切り替える前記制御信号を出力することを特徴とする。
【００１９】
この構成により、最も使用頻度の高い項目を常に表示した状態で、第１階層の表示画面を切り替えることが可能となる。
【００２０】
また、本発明の請求項３の測定装置においては、前記入力部は、前記表示部の表面に設けられたタッチパネルで構成されることを特徴とする。
【００２１】
この構成により、装置の小型化を図れるとともに、良好な操作性を得ることができる。
【００２２】
また、本発明の請求項４の測定方法は、上記の測定装置を用いる測定方法であって、前記入力部の操作に応じて、第１階層の表示画面としての複数の表示画面のいずれかを選択的に表示させるための制御信号を出力する第１階層表示切替段階と、前記第１階層表示切替段階で出力された前記制御信号に基づいて、前記出力信号に対する前記信号解析部の信号解析結果を表示する結果表示画面と、前記信号生成部による前記試験信号の生成に関する設定項目、及び、前記信号解析部による前記出力信号の解析に関する設定項目を表示する設定画面とを含む複数の表示画面のいずれかを、第１階層の表示画面として前記表示部に表示させる第１階層表示段階と、前記入力部の操作に応じて、第１階層よりも下位の階層の表示画面の表示をオン／オフするための制御信号を出力する下位階層表示切替段階と、前記下位階層表示切替段階で出力された前記制御信号に基づいて、前記表示部における第１階層よりも下位の階層の表示画面の表示をオン／オフする下位階層表示段階と、前記入力部の操作によらずに、使用頻度の高い特定の処理を行うための主操作画面を常に前記表示部に表示させる主操作画面表示段階と、を含み、前記下位階層表示切替段階は、前記入力部の操作により押下可能な下位階層表示ボタンを前記表示部の所定領域に表示させ、当該下位階層表示ボタンの押下状態に応じて、第１階層よりも下位の階層の表示画面の表示のオン／オフを切り替える前記制御信号を出力し、前記下位階層表示ボタン及び前記主操作画面は、相対的な位置関係を維持した状態で、前記下位階層表示ボタンの押下状態がオン又はオフになる前後で、前記表示部の表示領域内の任意の場所に移動され、前記下位階層表示ボタン、及び、当該下位階層表示ボタンがオンになることにより表示される前記下位の階層の表示画面は、相対的な位置関係を維持した状態で、更に下位の階層の表示画面を表示させるための前記下位階層表示ボタンの押下状態がオン又はオフになる前後で、前記表示部の表示領域内の任意の場所に移動されることを特徴とする。
【発明の効果】
【００２３】
本発明は、多数の通信規格に対応した多様な測定機能を迅速かつ正確に操作可能なユーザインターフェースを備えた測定装置及び測定方法を提供する。
【図面の簡単な説明】
【００２４】
【図１】本発明の実施形態としての測定装置の構成を示すブロック図である。
【図２】本発明の実施形態としての測定装置における第１階層の表示画面としての設定画面の表示例である。
【図３】本発明の実施形態としての測定装置における第１階層の表示画面としての結果表示画面の表示例である。
【図４】図２又は図３の状態から下位階層表示ボタンがオンとされ、第２階層の表示画面が表示された場合の表示例である。
【図５】図４の状態から下位階層表示ボタンがオンとされ、第３階層の表示画面が表示された場合の表示例である。
【発明を実施するための形態】
【００２５】
以下、本発明に係る測定装置及び測定方法の実施形態について、図面を用いて説明する。
【００２６】
図１に示すように、本発明の実施形態としての測定装置１は、被試験デバイス１００に対して各種測定を行うためのものであり、表示部１１、入力部１２、制御部１３、信号生成部１４、信号解析部１５、入出力部１６、及び表示制御部１７を備えている。
【００２７】
被試験デバイス１００は、例えばルータ、スイッチングハブ、伝送装置などのネットワーク機器である。
【００２８】
表示部１１は、例えばＬＣＤやＣＲＴなどの表示機器で構成され、表示制御部１７からの制御信号に基づき、後述する複数の階層に分類された表示画面を当該階層ごとに表示するようになっている。
【００２９】
入力部１２は、例えばテンキーや各種設定キーを備えたキーボードやマウスなどの入力装置や、表示部１１の表面に設けられたタッチパネルのような入力装置で構成される。入力部１２による入力操作は、制御部１３により検知されるようになっている。
【００３０】
制御部１３は、例えばＣＰＵ、ＲＯＭ、ＲＡＭなどを含むマイクロコンピュータで構成され、測定装置１を構成する各部の駆動制御を行うようになっている。また、制御部１３は、操作者が入力部１２を操作して設定する設定内容に基づき、当該設定内容に対応する測定を信号生成部１４及び信号解析部１５に行わせるための制御信号を、信号生成部１４及び信号解析部１５にそれぞれ出力するようになっている。
【００３１】
また、制御部１３は、入力部１２の操作に応じた制御信号を適宜表示制御部１７に出力するようになっている。例えば、制御部１３は、表示部１１上に表示される後述の下位階層表示ボタン２２，３０が、入力部１２の操作により押下されたことを条件として、その押下状態に応じた制御信号を表示制御部１７に出力するようになっている。
【００３２】
信号生成部１４は、後述する設定画面１８で設定された設定内容に対応した試験信号としてのデータフレームを生成し、当該データフレームを入出力部１６を介して被試験デバイス１００に送信するようになっている。
【００３３】
信号解析部１５は、信号生成部１４から出力された上記のデータフレームを入出力部１６を介して被試験デバイス１００から受信し、当該受信したデータフレームから、後述する設定画面１８で設定された設定内容に対応した受信状態情報を抽出して、それらを解析するようになっている。
【００３４】
入出力部１６は、イーサネット（登録商標）などのＩＰネットワークを通じて、測定装置１と被試験デバイス１００との間でデータフレームを送受信するようになっている。
【００３５】
表示制御部１７は、第１階層表示制御部１７ａ、第１階層表示切替制御部１７ｂ、下位階層表示切替制御部１７ｃ、下位階層表示制御部１７ｄ、及び主操作画面表示制御部１７ｅを有する。
【００３６】
第１階層表示制御部１７ａは、図２，３に示すように、被試験デバイス１００からの出力信号に対する信号解析部１５の測定結果や信号解析結果を表示する結果表示画面１９と、信号生成部１４による試験信号の生成に関する設定項目、及び、信号解析部１５による被試験デバイス１００からの出力信号の解析に関する設定項目を表示する設定画面１８とを含む複数の表示画面のいずれかを、第１階層の表示画面として表示部１１に表示させる制御を行うようになっている。
【００３７】
主操作画面表示制御部１７ｅは、測定開始や測定データの出力などの使用頻度の高い特定の処理を実行するための操作ボタンを含む主操作画面２０を、入力部１２の操作によらずに表示部１１に常に表示させる制御を行うようになっている。
【００３８】
主操作画面２０における操作ボタンは、例えば、測定開始や停止を指定するための測定開始／停止ボタン２０ａと、操作マニュアルを呼び出すためのヘルプボタン２０ｂと、瞬間的に試験信号をオフにするなどのエラー挿入を行うためのエラー挿入ボタン２０ｃと、測定データのレポート出力を行うためのレポートボタン２０ｄと、測定の進捗状況を表示するためのテスト進捗状況ボタン２０ｅと、を含む。
【００３９】
第１階層表示切替制御部１７ｂは、設定画面１８と結果表示画面１９を含む複数の表示画面のいずれかを選択的に表示させるための制御信号を第１階層表示制御部１７ａに出力するようになっている。
【００４０】
例えば、第１階層表示切替制御部１７ｂは、入力部１２の操作により押下可能な切替ボタン２１ａ，２１ｂを表示部１１の所定領域に表示させるようになっており、切替ボタン２１ａ，２１ｂの押下状態に応じて、主操作画面２０を除く複数の第１階層の表示画面の表示を切り替えることができるようになっている。
【００４１】
下位階層表示切替制御部１７ｃは、第１階層よりも下位の階層の表示画面の表示をオン／オフするための制御信号を下位階層表示制御部１７ｄに出力するようになっている。例えば、下位階層表示切替制御部１７ｃは、入力部１２の操作により押下可能な下位階層表示ボタン２２，３０を表示部１１の所定領域に表示させるようになっており、下位階層表示ボタン２２，３０の押下状態に応じて、第１階層よりも下位の階層の表示画面の表示のオン／オフを切り替えることができるようになっている。
【００４２】
図２に示すように、第１階層表示制御部１７ａは、切替ボタン２１ａ，２１ｂが設定画面１８を表示するように操作された場合に、各種設定項目に関する設定を行うための設定画面１８を表示部１１に表示させるようになっている。
【００４３】
例えば、本実施形態において被試験デバイス１００は、ＳＤＨ、イーサネット（登録商標）、ＯＴＮなどの各通信規格に従った通信を行うものであり、設定画面１８にはそれらの通信規格の設定項目に関する設定を行うための設定領域１８ａが表示されるようになっている。表１に通信規格ごとの設定可能な設定項目の一例を示す。
【表１】
0005906268.tif 000002
【００４４】
設定領域１８ａは、表１に示す各設定項目に関する設定を行うためのソフトキー、プルダウンメニュー、テキストボックスなどの操作対象を表示するようになっている。
【００４５】
また、図３に示すように、第１階層表示制御部１７ａは、切替ボタン２１ａ，２１ｂが結果表示画面１９を表示するように操作された場合に、信号解析部１５の測定結果や信号解析結果を表示するための結果表示画面１９を表示するようになっている。結果表示画面１９には通信規格ごとの測定結果や信号解析結果を表示するための結果表示領域１９ａが表示されるようになっている。表２に通信規格ごとの測定結果や信号解析結果の項目の一例を示す。
【００４６】
結果表示領域１９ａにおける測定結果や信号解析結果の表示方法には、例えばグラフに表示する方法や、測定値を数値で表示する方法などがあり、設定内容に応じていずれかの方法が採用されている。グラフに表示する方法としては、ヒストグラム、円グラフ、又はタコメータで表示する方法などが挙げられる。
【００４７】
測定値を数値で表示する場合には、例えばｐｉｎｇコマンドによる接続確認試験であれば、レスポンス時間ＲＴＴ（Round Trip Time）の数値が結果表示領域１９ａに表示されるようになっている。
【表２】
0005906268.tif 000003
【００４８】
下位階層表示制御部１７ｄは、下位階層表示ボタン２２が入力部１２により押下され、第１階層よりも下位の階層の表示画面の表示をオンとする制御信号が下位階層表示切替制御部１７ｃから出力されたことを条件として、図４に示すように、表示部１１の一部に第１階層よりも下位の第２階層の表示画面を表示させる制御を行うようになっている。
【００４９】
図４において、符号２３を付した領域は、第１階層の表示画面よりも使用頻度の低い第２階層の表示画面を示している。下位階層表示制御部１７ｄは、例えば、ボタン２３ａ〜２３ｄと表示窓２３ｅを第２階層の表示画面２３に表示させるようになっている。
【００５０】
ボタン２３ａは、測定を再度初めから行うためのものである。ボタン２３ｂは、以前に測定された結果を再度表示したり、現在の設定値や測定値を保存したりするためのものである。ボタン２３ｃは、測定装置１に関する各種設定が最適な設定となるように自動的に調整するためのものである。
【００５１】
ボタン２３ｄは、操作者が任意に選んだ設定や測定結果及び信号解析結果を集約して表示するためのものである。表示窓２３ｅは、現在設定されている設定内容に応じた測定結果や信号解析結果を簡易に表示するためのものである。
【００５２】
さらに、下位階層表示制御部１７ｄは、下位階層表示ボタン３０が入力部１２により押下され、第１階層よりも下位の第３階層の表示画面２４の表示をオンとする制御信号が下位階層表示切替制御部１７ｃから出力されたことを条件として、図５に示すように、表示部１１の一部に第２階層の表示画面２３よりも使用頻度が低い第３階層の表示画面２４を表示させる制御を行うようになっている。
【００５３】
下位階層表示制御部１７ｄは、例えば表３に示すような設定項目を第３階層の表示画面２４に表示させるようになっている。
【表３】
0005906268.tif 000004
【００５４】
以下、図２〜５を参照しながら、本実施形態の測定装置１を用いた測定方法の一例について説明する。
【００５５】
まず、主操作画面表示制御部１７ｅは、操作者の入力部１２の操作によらずに、特定の処理を行うための主操作画面２０を常に表示部１１に表示させる（主操作画面表示段階）。
【００５６】
次に、操作者の入力部１２の操作により、切替ボタン２１ａ，２１ｂが設定画面１８を表示させる状態に操作されることにより、第１階層表示切替制御部１７ｂは、設定画面１８の表示をオンとする制御信号を第１階層表示制御部１７ａに出力する（第１階層表示切替段階）。
【００５７】
次に、第１階層表示切替段階で第１階層表示切替制御部１７ｂから出力された制御信号に基づいて、第１階層表示制御部１７ａは、図２に示すように、第１階層の表示画面としての設定画面１８を表示部１１に表示させる（第１階層表示段階）。
【００５８】
次に、操作者の入力部１２の操作により、設定画面１８の設定領域１８ａにおいて各種設定項目に関する設定が行われる。
【００５９】
次に、操作者の入力部１２の操作により、主操作画面２０の測定開始／停止ボタン２０ａが押下されることにより、被試験デバイス１００に対する測定を開始する制御信号が制御部１３から信号生成部１４及び信号解析部１５に出力される。
【００６０】
次に、信号生成部１４は、設定画面１８で設定された各種設定内容に対応した試験信号を生成する。さらに、信号解析部１５は、設定画面１８で設定された各種設定内容に対応した解析処理を行う。
【００６１】
次に、図２の状態において、切替ボタン２１ａ，２１ｂが結果表示画面１９を表示させる状態に操作された場合には、第１階層表示切替制御部１７ｂは、結果表示画面１９の表示をオンとする制御信号を第１階層表示制御部１７ａに出力する（第１階層表示切替段階）。
【００６２】
次に、第１階層表示切替段階で第１階層表示切替制御部１７ｂから出力された制御信号に基づいて、第１階層表示制御部１７ａは、図３に示すように、第１階層の表示画面としての結果表示画面１９を表示部１１に表示させ、各種測定結果や信号解析結果を結果表示画面１９に表示させる（第１階層表示段階）。
【００６３】
次に、操作者の入力部１２の操作により、主操作画面２０の測定開始／停止ボタン２０ａが押下されることにより、被試験デバイス１００に対する測定を停止する制御信号が制御部１３から信号生成部１４及び信号解析部１５に出力される。
【００６４】
これにより、信号生成部１４が試験信号の生成を停止するとともに、信号解析部１５が解析処理を停止する。
【００６５】
なお、図２又は図３の状態において、操作者の入力部１２の操作により下位階層表示ボタン２２の押下状態がオンとなった場合には、下位階層表示切替制御部１７ｃは、第１階層よりも下位の第２階層の表示画面２３の表示をオンとする制御信号を下位階層表示制御部１７ｄに出力する（下位階層表示切替段階）。
【００６６】
次に、下位階層表示切替段階で第２階層の表示画面２３の表示をオンとする制御信号が下位階層表示切替制御部１７ｃから出力されたことを条件として、下位階層表示制御部１７ｄは、図４に示すように、第２階層の表示画面２３を表示部１１に表示させる（下位階層表示段階）。
【００６７】
次に、操作者の入力部１２の操作により、第２階層の表示画面２３において、ボタン２３ａ〜２３ｄによる各種設定が行われる。
【００６８】
なお、この下位階層表示ボタン２２の押下状態がオンとなる前後で、下位階層表示ボタン２２や主操作画面２０の配置箇所は、不変であってもよいし、表示部１１の表示領域内の任意の場所に移動されてもよい。
【００６９】
次に、図４の状態において、操作者の入力部１２の操作により下位階層表示ボタン３０の押下状態がオンとなった場合には、下位階層表示切替制御部１７ｃは、第２階層よりも下位の第３階層の表示画面２４の表示をオンとする制御信号を下位階層表示制御部１７ｄに出力する（下位階層表示切替段階）。
【００７０】
次に、下位階層表示切替段階で第３階層の表示画面２４の表示をオンとする制御信号が下位階層表示切替制御部１７ｃから出力されたことを条件として、下位階層表示制御部１７ｄは、図５に示すように、第３階層の表示画面２４を表示部１１に表示させる（下位階層表示段階）。
【００７１】
次に、操作者の入力部１２の操作により、第３階層の表示画面２４において、表３に示す各種設定が行われる。
【００７２】
なお、この下位階層表示ボタン３０の押下状態がオンとなる前後で、下位階層表示ボタン３０、主操作画面２０、第２階層の表示画面２３の配置箇所は、不変であってもよいし、表示部１１の表示領域内の任意の場所に移動されてもよい。
【００７３】
なお、上記の説明では、下位階層表示ボタン２２の押下状態がオンとなると、第２階層の表示画面２３が表示部１１に表示され、さらに下位階層表示ボタン３０の押下状態がオンとなることにより、第３階層の表示画面２４が表示部１１に表示されるとしたが、本実施形態はこれに限定されない。例えば、下位階層表示ボタン２２の押下状態がオンとなると、第２階層の表示画面２３と第３階層の表示画面２４の両方が同時に表示されてもよい。
【００７４】
次に、操作者の入力部１２の操作により、図５の状態から下位階層表示ボタン２２の押下状態がオフとなった場合には、下位階層表示切替制御部１７ｃは、表示部１１に表示されていた第２階層の表示画面２３及び第３階層の表示画面２４の表示をオフとする制御信号を下位階層表示制御部１７ｄに出力する（下位階層表示切替段階）。
【００７５】
次に、下位階層表示切替段階で第２階層の表示画面２３及び第３階層の表示画面２４の表示をオフとする制御信号が下位階層表示切替制御部１７ｃから出力されたことを条件として、下位階層表示制御部１７ｄは、第２階層の表示画面２３及び第３階層の表示画面２４が表示されていた領域を、第２階層の表示画面２３及び第３階層の表示画面２４が表示される前の図２又は図３の表示状態に戻す（下位階層表示段階）。
【００７６】
なお、上記の説明では、図５の状態から下位階層表示ボタン２２の押下状態がオフとなると、第２階層の表示画面２３及び第３階層の表示画面２４の表示がともにオフとなるとしたが、第２階層の表示画面２３の表示のみがオフとなってもよい。
【００７７】
あるいは、操作者の入力部１２の操作により、図５の状態から下位階層表示ボタン３０の押下状態がオフとなると、下位階層表示切替制御部１７ｃは、表示部１１に表示されていた第３階層の表示画面２４の表示をオフとする制御信号を下位階層表示制御部１７ｄに出力してもよい。これにより、下位階層表示制御部１７ｄは、第３階層の表示画面２４が表示されていた領域を、第３階層の表示画面２４が表示される前の図４の表示状態に戻す。
【００７８】
なお、下位階層表示ボタン２２，３０の押下状態がオフとなる前後で、下位階層表示ボタン２２，３０や主操作画面２０の配置箇所は、不変であってもよいし、表示部１１の表示領域内の任意の場所に移動されてもよい。
【００７９】
なお、上記の説明では、被試験デバイス１００がネットワーク機器である場合を例に挙げて説明したが、本発明はこれに限定されず、被試験デバイス１００は携帯電話などの無線端末機器であってもよい。
【００８０】
この場合には、設定画面１８において、例えばＷ−ＣＤＭＡ（Wideband Code Division Multiple Access）、ＧＳＭ（登録商標）（Global System for Mobile Communications）、ＬＴＥ（Long Term Evolution）、ＣＤＭＡ２０００（Code Division Multiple Access 2000）、ＥＶ−ＤＯ（Evolution Data Only）、ＴＤ−ＳＣＤＭＡ（Time Division Synchronous Code Division Multiple Access）のいずれの通信規格に関する試験を行うかどうかを設定できるようになっているとよい。
【００８１】
また、結果表示画面１９において、例えば信号レベル（ＬＶ）、変調精度（ＥＶＭ）、ビット誤り率（ＢＥＲ）、隣接チャネル漏洩電力（ＡＣＰ）などの測定結果や信号解析結果が表示されるようになっているとよい。
【００８２】
以上説明したように、本実施形態によれば、設定項目や測定の結果表示などの表示項目が多数表示された表示部１１において、複数の表示画面を層状に表示することにより、操作者が各表示項目を容易に認識することが可能となる。
【００８３】
特に、主操作画面２０に最も使用頻度の高い項目、第１階層の表示画面１８，１９にその次に使用頻度の高い項目、第１階層よりも下位の階層の表示画面２３，２４に使用頻度の低い項目を配置することにより、操作者が効率よく各設定項目にアクセスすることが可能となる。
【００８４】
主操作画面２０は、いずれの階層の表示画面が表示されている状態でも操作可能であるため、例えば、操作者が現在進行している測定の測定結果や分析結果を確認しながら、それらの結果に応じた設定を速やかに行ったり、設定変更により測定結果や分析結果が変化する様子を速やかに確認したりすることが可能である。
【００８５】
これにより、多数の通信規格に対応した多様な測定機能を迅速かつ正確に操作可能なユーザインターフェースを備えた測定装置を実現できる。
【００８６】
さらに、本実施形態によれば、入力部１２を表示部１１の表面に設けられたタッチパネルで構成することにより、装置の小型化を図れるとともに、良好な操作性を得ることができる。
【符号の説明】
【００８７】
１  測定装置
１１  表示部
１２  入力部
１３  制御部
１４  信号生成部
１５  信号解析部
１６  入出力部
１７  表示制御部
１７ａ  第１階層表示制御部
１７ｂ  第１階層表示切替制御部
１７ｃ  下位階層表示切替制御部
１７ｄ  下位階層表示制御部
１７ｅ  主操作画面表示制御部
１８  設定画面（第１階層の表示画面）
１８ａ  設定領域
１９  結果表示画面（第１階層の表示画面）
１９ａ  結果表示領域
２０  主操作画面
２２，３０  下位階層表示ボタン
２３  第２階層の表示画面
２４  第３階層の表示画面
１００  被試験デバイス
【図１】
0005906268.tif 000005
【図２】
0005906268.tif 000006
【図３】
0005906268.tif 000007
【図４】
0005906268.tif 000008
【図５】
0005906268.tif 000009